(57)【要約】      （修正有）【課題】  鍼を鍼管に保持すること及び鍼先を鍼管内空中に固定することができるとともに、包装から取り出して施術を行うまでの間、手間がかからない鍼管付き鍼灸用鍼を提供すること。【解決手段】  鍼管と、鍼管に装着される鍼、とからなる鍼管付き鍼灸用鍼である。鍼は、鍼柄３と鍼線とからなり、鍼柄３には、周囲に１個以上の突起が存在する掛止部４，５が鍼軸線方向の二箇所に設けられている。鍼管の管孔の直径は、鍼管上端部以外では掛止部の最大径より大きく、鍼管上端部では針柄の直径より大きいが掛止部の最大径より小さい。鍼柄頭部側の第一掛止部４と鍼線側の第二掛止部５との間隔は、掛止孔の周壁の高さより大であり、鍼は、第一掛止部下端から針先先端までの長さｈ１が、鍼管の全長ｈ２より短く形成されている。【選択図】  図４
2006158616.tif 000002
【特許請求の範囲】
【請求項１】
弾性部材からなる鍼管と、該鍼管に装着される鍼、とからなる鍼管付き鍼灸用鍼であって、
前記鍼は、鍼柄と鍼線とからなり、
該鍼柄には、周囲に少なくとも１個の突起が存在する掛止部が鍼軸線方向の二箇所に設けられており、
前記鍼管の管孔の直径は、鍼管上端部以外の箇所では前記掛止部の最大径より大きく形成され、鍼管上端部では前記針柄の直径より大きいが前記掛止部の最大径より小さく形成されて掛止孔を構成し、
鍼柄頭部側の第一掛止部と鍼線側の第二掛止部との間隔は、前記掛止孔の周壁の高さより大であり、
前記鍼は、前記第一掛止部下端から針先先端までの長さが、前記鍼管の全長より短く形成されており、
鍼管に鍼を装着した状態にあっては、鍼柄が前記第一掛止部で前記掛止孔に掛止まり、鍼柄頭部に鍼先方向向きの力を加えると、該第一掛止部が前記掛止孔を通過する、
鍼管付き鍼灸用鍼。
【請求項２】
前記鍼柄が金属からなるものであり、前記掛止部が前記鍼柄を前後から押圧して、鍼柄を変形して形成されたものである、請求項１に記載の鍼管付き鍼灸用鍼
【請求項３】
前記鍼管の下端面における管壁の厚みが、鍼管胴部の管壁の厚みより大である、請求項１または２に記載の鍼管付き鍼灸用鍼。
【請求項４】
鍼管下端面の外縁に面取りが施されている、請求項１〜３のいずれか１項に記載の鍼管付き鍼灸用鍼。
【発明の詳細な説明】
【技術分野】
【０００１】
本発明は、東洋医学における鍼治療に用いる鍼管付き鍼灸用鍼に関する。
【背景技術】
【０００２】
鍼を刺入するために用いる技法は、中国から伝わった撚鍼法と、日本で生まれた管鍼法によることが多い。撚鍼法は、補助的器具を用いず、手指により鍼を皮膚に刺入する。これに対し、管鍼法は細い管を補助具として用い、鍼を皮膚に刺入する。今日の鍼治療には、習得に容易な管鍼法を用いることが多い。
【０００３】
管鍼法にあっては、あらかじめ鍼を挿入した鍼管をつぼにあて、鍼管の頭部から出ている鍼柄頭部を軽く押すことによって、鍼先端を皮膚に刺入（切皮）し、その後鍼管を取り去り、鍼を指の間にはさみ立てた状態で、さらに必要な深さまで刺入する。管鍼法では、従来は鍼及び鍼管はともに再使用され、使用の都度組み合わされて使用されていた。しかし、現在は衛生上の問題および利便性の観点から、鍼を鍼管にセットした状態で個別に密封包装した滅菌済みの使い捨て鍼が主流である。
【０００４】
現在使用されている一般的な鍼管付き鍼灸用鍼を、図を用いて説明する。図５（ａ）は鍼灸用鍼１であり、図５（ｂ）は鍼管６である。鍼灸用鍼は鍼線２と鍼柄３とからなっている。図６は従来技術の鍼管付き鍼灸用鍼であり、（ａ）は正面図、（ｂ）は底面図である。鍼灸用鍼は鍼柄３の半分ほどの長さが鍼管上端１３から突出した状態で、硬質塩化ビニル等の樹脂製のクリップ１４により固定されている。使用に当たっては、このクリップ１４を取り外した後に、鍼管の下端１２を施術部位に当接し、その後は従来通りの方法で施術する。かかる鍼管付き鍼灸用鍼においては、クリップ１４により固定されているため包装から取り出すときに、鍼１が鍼管６から抜け落ちる心配はなく、また鍼先も鍼管内空中で固定されているため衛生的である。
【０００５】
しかし、このような鍼管付き鍼灸用鍼にあっては、使用に際してクリップ１４をそのまま引き抜けば、鍼１は当然鍼管６から抜け落ちてしまう。そのため、鍼柄頭部を挟持しながらクリップ１４を取り外す必要があり、またクリップ１４を取り外した後、施術を行うまでの間は、鍼１が抜け落ちるのを防ぐため、鍼柄３を指で保持しておく必要がある。そして、取り外したクリップ１４は、施術の妨げとなるので通常は他へ移されるが、小さいため床に落としたり等、その取り扱いが不便である。
【０００６】
このような不便さを解消するため、特許文献１の針管付き鍼及び特許文献２の鍼術用鍼等が考案されている。
【０００７】
特許文献１の針管付き鍼は、棒状鍼柄の先端部に鍼体を埋設した鍼本体と、鍼本体を挿通自在とした挿通孔を備える鍼管とから成る鍼管付き鍼において、鍼柄の先端部に大径部を設け、鍼管の挿通孔を内径が鍼柄の大径部の外径より僅かに小径とした第１挿通部と、内径が鍼柄の大径部の外径より大径とした第２挿通部とで構成し、鍼柄の長さを挿通孔の第１挿通部の長さより長いものとして、鍼本体を鍼柄側から鍼管の第２挿通部に挿入した際、鍼管から突出する鍼柄の尾部を引出し鍼柄の大径部を挿通孔の第１挿通部に挿入して保持させるようにしたことを特徴とするものである。
【０００８】
特許文献１の考案によれば、従来のように固定部材を用いなくても鍼柄の大径部を第１挿通部に挿入保持出来ると共に、鍼柄を鍼管より突出させることが出来るため、鍼本体が鍼管より途中で抜け落ちることなく本考案品を人体の所定位置に容易にかつ確実に載置出来、更に鍼管より突出状態の鍼柄を押圧するのみで鍼体の鍼先を肌に確実に刺すことが可能になる。
【０００９】
特許文献２の鍼術用鍼は、把部を取付けた鍼体を、両端を開口した芯管に挿入し、芯管の両端を弾性薄板で塞ぎ、一方の弾性薄板には、切割りまたは小孔を設けて、端部を芯管外に出してこれに挿通した把部を弾力的に且つ気密に保持させて成ることを特徴とするものである。
【００１０】
特許文献２の考案によれば、使用時に芯管と把部とを捩って両者の結合を解く操作が不要になり、施術者は治療に専念できる。
【特許文献１】実公平３−９７３７
【特許文献２】実公平３−１６６７５
【発明の開示】
【発明が解決しようとする課題】
【００１１】
しかしながら、特許文献１の針管付き鍼は、鍼柄先端の大径部を第１挿通部で保持する構成のため、第１挿通部における大径部の位置決めが問題となる。すなわち、第１挿通部における大径部の位置が第２挿通部に近くなりすぎれば、取り扱い時に鍼が抜け落ちる危険性があるが、その一方、第２挿通部から距離を離しすぎれば、施術時に大径部を第２挿通部に到達させるために鍼柄頭部に加える力が大きくなる。鍼柄頭部に加える力が大きくなれば、鍼柄と鍼管の掛止が解かれた際に鍼管先端から出る鍼の勢いも大きくなるため、切皮の際の痛みが増大する。
【００１２】
特許文献２の鍼術用鍼においても、弾性薄板の切割りまたは小孔で保持させる鍼柄（把部）の位置決めに際し、上記と同様の問題がある。
【００１３】
本発明は、前記従来技術の問題点を解決することを目的とし、鍼を鍼管に保持すること及び鍼先を鍼管内空中に固定することができるとともに、包装から取り出して施術を行うまでの間、一切手間がかからず、小片の廃棄物も生じない鍼管付き鍼灸用鍼であって、固定位置の微調整を行わなくても、取り扱い時に鍼が抜け落ちたり、施術時の痛みが増大する危険性がない鍼管付き鍼灸用鍼を提供することを課題とする。
【課題を解決するための手段】
【００１４】
本発明の前記課題は、弾性部材からなる鍼管と、該鍼管に装着される鍼、とからなる鍼管付き鍼灸用鍼であって、前記鍼は、鍼柄と鍼線とからなり、該鍼柄には、周囲に少なくとも１個の突起が存在する掛止部が鍼軸線方向の二箇所に設けられており、前記鍼管の管孔の直径は、鍼管上端部以外の箇所では前記掛止部の最大径より大きく形成され、鍼管上端部では前記針柄の直径より大きいが前記掛止部の最大径より小さく形成されて掛止孔を構成し、鍼柄頭部側の第一掛止部と鍼線側の第二掛止部との間隔は、前記掛止孔の周壁の高さより大であり、前記鍼は、前記第一掛止部下端から針先先端までの長さが、前記鍼管の全長より短く形成されており、鍼管に鍼を装着した状態にあっては、鍼柄が前記第一掛止部で前記掛止孔に掛止まり、鍼柄頭部に鍼先方向向きの力を加えると、該第一掛止部が前記掛止孔を通過する、鍼管付き鍼灸用鍼により解決される。  
【００１５】
この構成においては、鍼柄には鍼軸線方向の二箇所に掛止部が設けられ、鍼管の上端部には管孔を前記鍼柄の直径より大きいが前記掛止部の最大径より小さくすることにより形成した掛止孔が設けられ、鍼柄頭部側の第一掛止部と鍼線側の第二掛止部との間隔が、前記掛止孔の周壁の高さより大きく形成されているため、両掛止部の間に前記掛止孔が位置するように、鍼を鍼管にセットすれば、鍼を鍼線軸の両方向に固定することができる。すなわち、鍼柄の第一掛止部が鍼管上端の掛止孔を通過できずに引っ掛かるため、鍼管のみを持っても、鍼が鍼管から抜け落ちて汚染されることはない。また、第二掛止部も、掛止孔を通過できずに引っ掛かるため、鍼管を持たず鍼柄頭部のみを保持したとき、または鍼柄頭部側を下にして鍼管を保持したときにも、鍼が鍼管から抜け落ちることはない。また、鍼は第一掛止部下端から鍼先先端までの長さが、鍼管の全長より短く形成されているため、鍼先は鍼管内空中に固定されている。そのため、施術を行うまでの間に鍼先が他の物に触れることがなく、衛生的である。また、鍼管は弾性部材により形成されているため、施術の際は、鍼管下端を施術部位に当接した状態で、鍼柄頭部を軽く押すことにより、前記第一掛止部が鍼管上端部に設けられた掛止孔を通過する。鍼管の管孔の直径は、掛止孔以外の箇所では掛止部の最大径より大きく形成されているため、第一掛止部が掛止孔を通過した時点で、鍼管と鍼の掛止が完全に解け、皮膚に鍼先が刺入する。したがって本発明によれば、包装から取り出してから施術を行うまでの間に、クリップ類を外す等の手間はいっさいかからず、かつ鍼柄を指で保持する必要もない。また、小片の廃棄物も生じない。さらに、固定位置が定まっているため、固定位置の調節に気を配らなくても鍼を鍼管に確実に固定できるとともに、鍼管と鍼の掛止を解くために鍼頭部にかける力は常に一定となり、過大な力をかけて切皮時の痛みを増大させることがない。
【００１６】
また、前記鍼柄を金属で形成すれば、灸頭鍼、通電鍼としても使用することができる。さらに、鍼柄を前後から押圧して、鍼柄を変形して掛止部を形成すれば、掛止部を鍼柄に一体形成できるため、掛止部が鍼柄から損失しにくい。
【００１７】
また、前記鍼管の下端面における管壁の厚みを、鍼管胴部における管壁の厚みより大きく形成すれば、接皮面積が増えるため、鍼管を肌に当てる際の痛みを減少させることができる。この際、鍼管胴部の管壁の厚みは従来通りとすることにより、鍼管の持ち易さや施術のし易さは従来通りとすることができる。
【００１８】
また、前記鍼管の下端面の外縁に面取りを施せば、鍼管下端部の皮膚へのくい込みが軽減されるため、肌当たりの痛みをさらに減少させることができる。
【発明の効果】
【００１９】
以上の説明から明らかなように、本発明によれば、鍼柄の両掛止部が、鍼管上端の掛止孔を通過できずに引っ掛かるため、鍼を鍼管に完全に固定することができる。施術に際しては、そのままの状態で、鍼柄頭部を軽く押せば、鍼先を皮膚に刺入することができる。したがって、包装から取り出した後、施術を行うまでの間に、クリップ類を外す等の手間や、鍼柄を指で保持する等の手間は一切生じない。また、小片の廃棄物も生じない。さらに鍼の固定位置があらかじめ定まっているため、位置の調節を行わなくても、鍼が抜け落ちたり切皮時の痛みが増大する虞がない。また、鍼先は鍼管内空中に固定されているため、施術を施すまでは鍼先が汚染されることがなく、衛生的である。
【００２０】
さらに、鍼柄を金属で構成した場合には、灸頭鍼・通電鍼としても使用することができる。また、鍼柄を前後から押圧して、鍼柄を変形して掛止部を形成すれば、掛止部を鍼柄に一体形成できるため、頑丈な構造とすることができる。
【００２１】
また、鍼管の下端面の管壁の厚みを、鍼管胴部における管壁の厚みより大きく形成することにより、鍼管の肌当たりの痛みを軽減することができる。
【００２２】
また、鍼管の下端面の外縁に面取りを施せば、さらに鍼管の肌当たりの痛みを軽減することができる。
【発明を実施するための最良の形態】
【００２３】
以下、添付図面に示す実施例に基づき、本発明の鍼管付き鍼灸用鍼について説明する。
【００２４】
図１は、本発明の鍼管付き鍼灸用鍼の鍼の一実施例であって、正面図である。鍼１は鍼線２と鍼柄３からなり、ともにステンレス製である。図に示すように、鍼柄３には鍼軸線方向Ｘの二箇所に掛止部４，５が形成されている（鍼柄頭部側の掛止部４が第一掛止部，鍼線側の掛止部５が第二掛止部）。両掛止部の間隔ｔ１は、掛止孔９（図３参照）の周壁の高さｔ２よりも大きく形成されており、また掛止部４，５が存在する箇所の鍼柄の最大径ｒ１，ｒ２は、鍼柄３の直径ｒ３よりわずかに大きく形成されている。本実施例では、棒状の鍼柄を一対の金型で前後から押圧することにより、鍼柄を変形して掛止部を形成した。
【００２５】
図２は、図１の鍼の斜視図である。
【００２６】
図３は、本発明の鍼管付き鍼灸用鍼の鍼管を示す一実施例であって、（ａ）は正面図、（ｂ）は平面図、（ｃ）は正面断面図である。鍼管は合成樹脂製であり、また、鍼を透視できるように透明となっている。図３（ａ）に示すように、鍼管６は下端部８の外径が胴部７の外径より大径になるように形成されている。また、図３（ｂ）に示すように、鍼管上端部には掛止孔９が設けられている。孔９の直径ｒ４は、針柄３の直径ｒ３よりは大きいが、掛止部４、５が存在する箇所の鍼柄の最大径ｒ１，ｒ２よりは小さく形成されている。また、図３（ｃ）に示すように、鍼管の内径は一定であるため、鍼管の下端面における管壁の厚みｓ１は、鍼管胴部における管壁の厚みｓ２より大きく形成されており（ｓ１＝１．２mm、ｓ２＝０．７mm）、さらに、鍼管下端面の外縁１０には面取りが施されている。
【００２７】
図４は、図１の鍼および図３の鍼管からなる本発明の鍼管付き鍼灸用鍼の一実施例であって、一部を破断した正面図である。上述のように、鍼管上端部の掛止孔９の直径ｒ４は、針柄３の直径ｒ３よりは大きいが、掛止部４，５が存在する箇所の鍼柄の最大径ｒ１，ｒ２よりは小さい。そのため、孔９に、鍼１を鍼線側から通せば、第二掛止部５は自然には通過できず、ここで留まる。しかし、ｒ４とｒ２の差はわずかであり、また鍼管は合成樹脂で形成されているため、軽く力を加えれば、第二掛止部５は孔９を通過する。そして次に、第一掛止部４が孔９を通過できず留まるため、図に示す状態になる。また、鍼１を、鍼柄頭部側から鍼管に挿入し（鍼管の下端側から）、孔９から突出した鍼柄頭部を引っぱって、第一掛止部を孔９から引き出すことにより、鍼１を鍼管６に装着してもよい。
【００２８】
上述のように、両掛止部の間隔ｔ１は、掛止孔の周壁の高さｔ２よりも大きく形成されている。そのため、鍼管６と、鍼１を組み合わせた状態にあっては、図４の如く、鍼柄３が両掛止部４，５の間で掛止孔９に掛り止まる。従って、鍼１が鍼線軸方向Ｘのどちら側に動いても、掛止部４，５のいずれかが孔９で留まるため、鍼１が鍼管６から抜け落ちることはない。また、鍼１は、第一掛止部４の下端から針先先端までの長さｈ１が、鍼管６の全長ｈ２より短く形成されているため、鍼先は鍼管内空中に保たれる。
【００２９】
施術に際しては、鍼管４を親指と中指で保持し、そのまま鍼管下端面１２を施術部位に当接する。そして同じ手の人差し指で鍼柄頭部を軽く押せば、ｒ１とｒ４の差はわずかであるため、第一掛止部４が掛止孔９を通過し、鍼先が皮膚に刺入される。その後、鍼管６をはずして通常と同様の方法で施術を行う。従って、包装から取り出して施術を行うまでの間に、クリップ類を外す等の手間は一切かからない。また刺入するまでの間、鍼１は常に鍼管６に固定されているため、施術に際して鍼管６と鍼柄３の両方を保持する必要が生じることは一度もない。
【００３０】
また、鍼管の下端面における管壁の厚みｓ１が、鍼管胴部における管壁の厚みｓ２より大きく形成されているため、切皮面積が増えて鍼管の肌当たり時の痛みが軽減される。また、鍼管の下端面の外縁１０に面取りを施しているため、さらに鍼管の肌当たりの痛みが軽減される。鍼管胴部における管壁の厚みｓ２は従来の鍼管と同様であるため、鍼管胴部の太さは変わらず、施術の施し易さは従来通りである。なお、本実施例においては、鍼管下端面の外縁１０にのみ面取りを施したが、外縁１０と管孔縁１１の両方に面取りを施してもよい。
【００３１】
鍼線２は金属製であり、本実施例ではステンレスを使用したが、他の金属でもよい。他の金属の例として、アルミ、白銅、クロムメッキ等がある。
【００３２】
鍼柄３は金属製であっても、合成樹脂製であってもよい。金属製であれば灸頭鍼・通電鍼としても使用できるため、より好ましい。金属の例としては鍼線と同様に、ステンレス、アルミ、白銅、クロムメッキ等があり、合成樹脂の例としてはポリプロピレン等がある。
【００３３】
掛止部４，５は通常の状態では掛止孔９を通過できないが、鍼柄に力を加えたときには、孔９を通過できるものである。そのため、掛止部４，５が存在する箇所の鍼柄の最大径ｒ１，ｒ２は孔９の直径ｒ４より、わずかに大きく形成される必要があり、ｒ１，ｒ２とｒ４の差は１mm以下であることが好ましい。また、第一掛止部４が孔９を通過することにより、鍼先が皮膚に刺入されるため、特に第一掛止部は、施術に際してよりスムーズに鍼を押し出すことができるよう、鍼柄直径よりわずかにふくらんだ曲面状の凸部であることが好ましい。本実施例では鍼柄を前後から押圧して、鍼柄を変形することにより、第一掛止部および第二掛止部を形成したが、他の方法で形成しても良い。
【００３４】
両掛止部の間隔ｔ１は、掛止孔の周壁の高さｔ２より大きく形成される必要があるが、必要以上に大きく形成しないほうが、鍼の動きを制限できるため好ましい。具体的には２mm以下が好ましい。
【００３５】
また、鍼管上端から突出する鍼柄３の長さ、すなわち第一掛止部４の下端から鍼柄頭部までの長さｈ３は、切皮に必要な長さ以上であることは当然であるが、あまり長く形成しない方が、鍼管を抜き取りやすいため好ましい。具体的には４mm〜１０mmが好ましく、さらに好ましくは５mm〜９mmである。
【００３６】
鍼管の管壁の厚みは、胴部においては従来通りとすればよい（一般に、１mm未満）。下端面においては１．１mm以上とすることにより、皮膚に鍼管を当接した際の痛みを大きく軽減することができる。あまり分厚くしすぎる必要はなく、１．３mm以下でも十分な効果が得られる。
【００３７】
鍼管を形成する弾性部材の例としては、ポリプロピレン、ポリエチレン等の合成樹脂を挙げることができる。施術を行う際に鍼管が湾曲しない材質であって、且つ、鍼管上端部に設けた掛止孔の直径ｒ４が、力を加えたときには掛止部が存在する箇所の最大径ｒ１，ｒ２まで広がり、掛止部が通過した後は、元の直径ｒ４に戻る材質であることが必要である。また、鍼管の色を鍼の太さごとに変えれば、鍼の太さを容易に識別することができる。鍼管は、中の鍼の状態が分かるように透明あるいは半透明であることが好ましい。
【図面の簡単な説明】
【００３８】
【図１】本発明の一実施例を示す鍼管付き鍼灸用鍼の鍼の正面図
【図２】図１の鍼の斜視図
【図３】本発明の一実施例を示す鍼管付き鍼灸用鍼の鍼管であって（ａ）は正面図  （ｂ）は平面図  （ｃ）は正面断面図
【図４】本発明の一実施例を示す鍼管付き鍼灸用鍼の一部破断正面図
【図５】（ａ）は従来技術の鍼灸用鍼  （ｂ）は従来技術の鍼管
【図６】従来技術の鍼管付き鍼灸用鍼であって、（ａ）は正面図  （ｂ）は底面図
【符号の説明】
【００３９】
１  鍼
２  鍼線
３  鍼柄
４  第一掛止部
５  第二掛止部
６  鍼管
７  鍼管胴部
８  鍼管下端部
９  掛止孔
１０  鍼管下端面における外縁
１１  鍼管下端面における管孔縁
１２  鍼管下端面
１３  鍼管上端
１４  クリップ
Ｘ  鍼線軸方向
ｒ１  第一掛止部が存在する箇所の鍼柄の最大径
ｒ２  第二掛止部が存在する箇所の鍼柄の最大径
ｒ３  鍼柄の直径
ｒ４  掛止孔の直径
ｔ１  第一掛止部と第二掛止部の間隔
ｔ２  掛止孔の周壁の高さ
ｈ１  第一掛止部下端から鍼先先端までの長さ
ｈ２  鍼管の全長
ｈ３  第一掛止部下端から鍼柄頭部までの長さ
ｓ１  鍼管下端面における管壁の厚み
ｓ２  鍼管胴部における管壁の厚み
【図１】
2006158616.tif 000003
【図２】
2006158616.tif 000004
【図３】
2006158616.tif 000005
【図４】
2006158616.tif 000006
【図５】
2006158616.tif 000007
【図６】
2006158616.tif 000008